(57)【要約】【課題】刈取装置の掻込スターホイルに詰まった穀稈を容易に除去できるものとする。【解決手段】植立穀稈を刈刃（２１）側へ掻き込こむ左右の掻込スターホイル（３１，３１）を、互いの外周部に形成した掻込凸部（３１ｃ，３１ｃ）が噛み合うようにして近接させて軸支し、左右の掻込スターホイル（３１，３１）の上側には前側ほど相互の間隔を広くして平面視でハ字状に配置した左右の掻込ラグベルト（３２，３２）をそれぞれ設けた刈取装置の穀稈掻込装置において、左右の掻込スターホイル（３１，３１）のうちの一方の掻込スターホイル（３１）を他方の掻込スターホイル（３１）に対して上下方向に移動させることで掻込凸部（３１ｃ，３１ｃ）の噛み合いが解除される構成とする。  【選択図】図４
2013111043.tif 000002
【特許請求の範囲】
【請求項１】
植立穀稈を刈刃（２１）側へ掻き込こむ左右の掻込スターホイル（３１，３１）を、互いの外周部に形成した掻込凸部（３１ｃ，３１ｃ）が噛み合うようにして近接させて軸支し、該左右の掻込スターホイル（３１，３１）の上側には前側ほど相互の間隔を広くして平面視でハ字状に配置した左右の掻込ラグベルト（３２，３２）をそれぞれ設けた刈取装置の穀稈掻込装置において、前記左右の掻込スターホイル（３１，３１）のうちの一方の掻込スターホイル（３１）を他方の掻込スターホイル（３１）に対して上下方向に移動させることで前記掻込凸部（３１ｃ，３１ｃ）の噛み合いが解除される構成としたことを特徴とする刈取装置の穀稈掻込装置。
【請求項２】
前記掻込凸部（３１ｃ，３１ｃ）の噛み合いによって一方の掻込スターホイル（３１）から他方の掻込スターホイル（３１）へ回転動力を伝達するように構成し、該駆動側の掻込スターホイル（３１）に対して従動側の掻込スターホイル（３１）を上下方向に移動させることで掻込凸部（３１ｃ，３１ｃ）の噛み合いが解除される構成とした請求項１記載の刈取装置の穀稈掻込装置。
【請求項３】
前記左右一組の掻込スターホイル（３１，３１）を左右方向に複数組備えて４条以上の穀稈を掻き込む構成とし、前記左右の掻込スターホイル（３１，３１）のうちの刈幅外側に位置する掻込スターホイル（３１）を刈幅内側に位置する掻込スターホイル（３１）に対して上下方向に移動させることで掻込凸部（３１ｃ，３１ｃ）の噛み合いが解除される構成とした請求項１または請求項２記載の刈取装置の穀稈掻込装置。
【請求項４】
前記左右の掻込スターホイル（３１，３１）の夫々を複数の掻込スターホイル分割体（３１ａ，３１ｂ）に分割し、回転軸となる左右のスターホイル軸（３８，３８）に備えたフランジ（３８ａ，３８ａ）に複数の掻込スターホイル分割体（３１ａ，３１ｂ）を夫々取り付けて左右掻込凸部（３１ｃ，３１ｃ）が噛み合うように構成し、前記左右の掻込スターホイル（３１，３１）のうちのいずれか一方の掻込スターホイル（３１）の掻込スターホイル分割体（３１ａ，３１ｂ）をフランジ（３８ａ）から取り外すことで掻込凸部（３１ｃ，３１ｃ）の噛み合いが解除される構成とした請求項１または請求項２または請求項３記載の刈取装置の穀稈掻込装置。
【請求項５】
前記左右の掻込スターホイル（３１，３１）の夫々を複数の掻込スターホイル分割体（３１ａ，３１ｂ）に分割し、回転軸となる左右のスターホイル軸（３８，３８）に備えたフランジ（３８ａ，３８ａ）に複数の掻込スターホイル分割体（３１ａ，３１ｂ）の夫々を蝶板（４１，４１）により揺動自在に支持して揺動固定状態で左右の掻込凸部（３１ｃ，３１ｃ）が噛み合う構成とし、前記左右の掻込スターホイル（３１，３１）のうちのいずれか一方の掻込スターホイル（３１）の掻込スターホイル分割体（３１ａ，３１ｂ）の揺動固定状態を解除して吊り下げ状に揺動させることで掻込凸部（３１ｃ，３１ｃ）の噛み合いが解除される構成とした請求項１または請求項２または請求項３記載の刈取装置の穀稈掻込装置。
【請求項６】
前記左右の掻込スターホイル（３１，３１）のうちのいずれか一方の掻込スターホイル（３１）を、回転軸となるスターホイル軸（３８）に備えたフランジ（３８ａ）に取り付けたままの状態で上下方向に移動可能に構成し、一方の掻込スターホイル（３１）とフランジ（３８ａ）とスターホイル軸（３８）を他方に対して上下方向に移動させることで掻込凸部（３１ｃ，３１ｃ）の噛み合いが解除される構成とした請求項１または請求項２または請求項３記載の刈取装置の穀稈掻込装置。
【発明の詳細な説明】
【技術分野】
【０００１】
本発明は、刈取装置の穀稈掻込装置に関するものである。
【背景技術】
【０００２】
コンバイン等の刈取装置に備える掻込搬送装置において、圃場の立毛穀稈を刈刃側へ掻き込こむ左右一対の掻込スターホイルを相互に掻込凸部を噛み合わせるようにして近接軸支し、左右一対の掻込スターホイルの上側には前側ほど相互の間隔を広くし平面視ハ字状に配置した左右一対の掻込ラグベルトをそれぞれ設けたものは、公知である（特許文献１）。
【先行技術文献】
【特許文献】
【０００３】
【特許文献１】特開２０１０−２７３５５６号公報
【発明の概要】
【発明が解決しようとする課題】
【０００４】
前記従来技術では、刈取作業中に左右の掻込スターホイルの掻込凸部の間に掻込搬送穀稈が詰まることがあるが、掻込スターホイルに詰まった穀稈を除去するための構造を備えず、詰まった穀稈を除去しにくい不具合があった。
【０００５】
そこで、本発明はこのような不具合を解決しようとするものである。
【課題を解決するための手段】
【０００６】
請求項１記載の発明は、植立穀稈を刈刃（２１）側へ掻き込こむ左右の掻込スターホイル（３１，３１）を、互いの外周部に形成した掻込凸部（３１ｃ，３１ｃ）が噛み合うようにして近接させて軸支し、該左右の掻込スターホイル（３１，３１）の上側には前側ほど相互の間隔を広くして平面視でハ字状に配置した左右の掻込ラグベルト（３２，３２）をそれぞれ設けた刈取装置の穀稈掻込装置において、前記左右の掻込スターホイル（３１，３１）のうちの一方の掻込スターホイル（３１）を他方の掻込スターホイル（３１）に対して上下方向に移動させることで前記掻込凸部（３１ｃ，３１ｃ）の噛み合いが解除される構成としたことを特徴とする刈取装置の穀稈掻込装置とする。
【０００７】
請求項２記載の発明は、前記掻込凸部（３１ｃ，３１ｃ）の噛み合いによって一方の掻込スターホイル（３１）から他方の掻込スターホイル（３１）へ回転動力を伝達するように構成し、該駆動側の掻込スターホイル（３１）に対して従動側の掻込スターホイル（３１）を上下方向に移動させることで掻込凸部（３１ｃ，３１ｃ）の噛み合いが解除される構成とした請求項１記載の刈取装置の穀稈掻込装置とする。
【０００８】
請求項３記載の発明は、前記左右一組の掻込スターホイル（３１，３１）を左右方向に複数組備えて４条以上の穀稈を掻き込む構成とし、前記左右の掻込スターホイル（３１，３１）のうちの刈幅外側に位置する掻込スターホイル（３１）を刈幅内側に位置する掻込スターホイル（３１）に対して上下方向に移動させることで掻込凸部（３１ｃ，３１ｃ）の噛み合いが解除される構成とした請求項１または請求項２記載の刈取装置の穀稈掻込装置とする。
【０００９】
請求項４記載の発明は、前記左右の掻込スターホイル（３１，３１）の夫々を複数の掻込スターホイル分割体（３１ａ，３１ｂ）に分割し、回転軸となる左右のスターホイル軸（３８，３８）に備えたフランジ（３８ａ，３８ａ）に複数の掻込スターホイル分割体（３１ａ，３１ｂ）を夫々取り付けて左右掻込凸部（３１ｃ，３１ｃ）が噛み合うように構成し、前記左右の掻込スターホイル（３１，３１）のうちのいずれか一方の掻込スターホイル（３１）の掻込スターホイル分割体（３１ａ，３１ｂ）をフランジ（３８ａ）から取り外すことで掻込凸部（３１ｃ，３１ｃ）の噛み合いが解除される構成とした請求項１または請求項２または請求項３記載の刈取装置の穀稈掻込装置とする。
【００１０】
請求項５記載の発明は、前記左右の掻込スターホイル（３１，３１）の夫々を複数の掻込スターホイル分割体（３１ａ，３１ｂ）に分割し、回転軸となる左右のスターホイル軸（３８，３８）に備えたフランジ（３８ａ，３８ａ）に複数の掻込スターホイル分割体（３１ａ，３１ｂ）の夫々を蝶板（４１，４１）により揺動自在に支持して揺動固定状態で左右の掻込凸部（３１ｃ，３１ｃ）が噛み合う構成とし、前記左右の掻込スターホイル（３１，３１）のうちのいずれか一方の掻込スターホイル（３１）の掻込スターホイル分割体（３１ａ，３１ｂ）の揺動固定状態を解除して吊り下げ状に揺動させることで掻込凸部（３１ｃ，３１ｃ）の噛み合いが解除される構成とした請求項１または請求項２または請求項３記載の刈取装置の穀稈掻込装置とする。
【００１１】
請求項６記載の発明は、前記左右の掻込スターホイル（３１，３１）のうちのいずれか一方の掻込スターホイル（３１）を、回転軸となるスターホイル軸（３８）に備えたフランジ（３８ａ）に取り付けたままの状態で上下方向に移動可能に構成し、一方の掻込スターホイル（３１）とフランジ（３８ａ）とスターホイル軸（３８）を他方に対して上下方向に移動させることで掻込凸部（３１ｃ，３１ｃ）の噛み合いが解除される構成とした請求項１または請求項２または請求項３記載の刈取装置の穀稈掻込装置とする。
【発明の効果】
【００１２】
請求項１記載の発明によると、左右の掻込スターホイル（３１，３１）のうちの一方を他方に対して上下方向にずらせ、掻込凸部（３１ｃ，３１ｃ）の噛み合いを解除すると、一方の掻込スターホイル（３１）を自由に回転させて、掻込凸部（３１ｃ，３１ｃ）間に詰まった穀稈を容易に除去することができる。
【００１３】
請求項２記載の発明によると、上記請求項１記載の発明の効果を奏するうえで、左右の掻込スターホイル（３１，３１）のうちの従動側の掻込スターホイル（３１）を上下方向にずらせて掻込凸部（３１ｃ，３１ｃ）の噛み合いを解除すると、駆動側の掻込スターホイル（３１）に対して従動側の掻込スターホイル（３１）を自由に回転させることができ、掻込凸部（３１ｃ，３１ｃ）の間に詰まった穀稈を容易に除去することができる。
【００１４】
請求項３記載の発明によると、請求項１または請求項２記載の発明の効果に加えて、作業者は刈取装置（７）の左右外側に位置した状態で左右外側に位置している掻込スターホイル（３１）を容易に上下方向へ移動させることができ、掻込凸部（３１ｃ，３１ｃ）の間に詰まった穀稈を容易に除去することができる。
【００１５】
請求項４記載の発明によると、請求項１または請求項２または請求項３記載の発明の効果に加えて、掻込スターホイル分割体（３１ａ，３１ｂ）を部分的にフランジ（３８ａ，３８ａ）から取り外すことにより掻込凸部（３１ｃ，３１ｃ）の噛み合いを解除することができ、簡単な操作で掻込凸部（３１ｃ，３１ｃ）の間に詰まった穀稈を容易に除去することができる。
【００１６】
請求項５記載の発明によると、請求項１または請求項２または請求項３記載の発明の効果に加えて、左右の掻込スターホイル分割体（３１ａ，３１ｂ）のいずれか一方をフランジ（３８ａ，３８ａ）から部分的に取り外し蝶板（４１，４１）で吊り下げ状に支持すると掻込凸部（３１ｃ，３１ｃ）の噛み合いを解除することができ、掻込スターホイル分割体（３１ａ，３１ｂ）の取り外し取り付け作業が容易となり、掻込凸部（３１ｃ，３１ｃ）の間に詰まった穀稈を容易に除去することができる。
【００１７】
請求項６記載の発明によると、請求項１たは請求項２または請求項３記載の発明の効果に加えて、左右の掻込スターホイル（３１，３１）の一方をスターホイル軸（３８）のフランジ（３８ａ）に取り付けたままの状態で下方に移動させることにより、左右の掻込スターホイル（３１，３１）の掻込凸部（３１ｃ，３１ｃ）の噛み合いを解除することができ、解除操作及び取付操作が容易となり、掻込凸部（３１ｃ，３１ｃ）の間に詰まった穀稈を容易に除去することができる。
【図面の簡単な説明】
【００１８】
【図１】コンバインの全体側面図。
【図２】コンバインの全体平面図。
【図３】刈取装置の平面図。
【図４】穀稈掻込装置を分解して示す斜視図。
【図５】穀稈掻込装置の正面図。
【図６】穀稈掻込装置の正面図。
【図７】穀稈掻込装置を分解して示す斜視図。
【図８】穀稈掻込装置の正面図。
【図９】穀稈掻込装置の正面図。
【図１０】穀稈掻込装置を分解して示す斜視図。
【図１１】穀稈掻込装置の正面図。
【図１２】穀稈掻込装置の正面図。
【図１３】穀稈掻込装置の斜視図。
【図１４】穀稈掻込装置の斜視図。
【図１５】刈取装置の要部を示す側面図。
【発明を実施するための形態】
【００１９】
以下図面に示す実施例に基づき本発明を説明する。まず、図１及び図２基づき本発明を具備するコンバインの全体構成について説明する。
コンバインの走行車台１の下方には左右クローラ走行装置２，２を配設し、走行車台１上には、右側前部に座席付きの操縦部３を、操縦部３の後方下部にはエンジンを備えた原動部４を、原動部４の後方には穀粒収納用のグレンタンク５を配設している。走行車台１の左側部に脱穀部６を搭載し、走行車台１の前側部には刈取装置７を昇降自在に設け、脱穀部６及びグレンタンク５の後方に排稾処理装置８を設けている。また、グレンタンク５の後側部に排出オーガ９を設け、グレンタンク５内の穀粒を外部に取り出すようにしている。
【００２０】
刈取装置７は、基部を走行車台１の前側部に設けた懸架台上部に左右方向の軸回りに回動自在に懸架し、前方斜め下方に延出している刈取フレーム１７と、刈取フレーム１７の先端部に左右に向けて配設している伝動ケースを一体に連結して平面視略Ｔ字型に構成し、各装置を支持するようにしている。
【００２１】
刈取装置７の前側部には刈取条数毎に分草杆１８，…を設け、刈取フレーム１７から前方へ延出している分草支持棒１９，…により分草杆１８，…を支持している、分草杆１８，…の背後から上方後側に向かうように穀稈引起し装置２０，…を配列している。穀稈引起し装置２０，…の下方に刈取条数の穀稈を刈り取る刈刃２１を設け、刈刃２１の上方から前側に向けて穀稈掻込装置２２を設けている。穀稈掻込装置２２の後側部に根元搬送装置２３と穂先搬送装置２４を接続して設け、刈取穀稈を後側上方の脱穀部６まで搬送するようにしている。
【００２２】
次に、図３に基づき穀稈掻込装置２２について具体的に説明する。
穀稈掻込装置２２には下側に位置する左右一対の掻込スターホイル３１，３１と上側に位置する左右一対の掻込ラグベルト３２，３２とを備えている。左右一対の掻込スターホイル３１，３１を左右一対の穀稈引起し装置２０，２０の背後に位置させ、刈刃２１の上方において掻込凸部３１ｃ，…が互いに噛み合い状態になるように接近させて上下方向の軸回りに回転するように軸架している。
【００２３】
また、左右一対の掻込ラグベルト３２，３２は、圃場の立毛穀稈の上側部に係合して後方への掻き込み作用力が出る程度の後退角を備えた長いラグ３２ａ，…を所定間隔毎に配列して設け、上側の板状のケース３３に回転自在に支持している前後のプーリ３４，…に巻き架け、前記左右一対の掻込スターホイル３１，３１のスターホイル軸３８，…の上側部に前側のプーリ３４，３４を取り付け回動するように支持している。そして、左右掻込ラグベルト３２，３２は、前側部を広く後側部を左右掻込スターホイル３１，３１の間隔に狭め、平面視でハ字状に配置し、左右掻込スターホイル３１，３１の中央部位に搬送穀稈を掻き込み、左右掻込スターホイル３１，３１に引き継ぐようにしている。
【００２４】
また、左右一対の掻込スターホイル３１，３１及び左右一対の掻込ラグベルト３２，３２の中間部前側間に対向するように左右案内杆３５，３５を設けている。この左右案内杆３５，３５は左右掻き込みラグベルト３２，３２に対向する左右上側案内杆３５ａ，３５ａと、左右掻込スターホイル３１，３１に対向する左右下側案内杆３５ｂ，３５ｂにより上下二段に構成されていて、これらの基部を条間を仕切っている分草支持棒１９に固着している。
【００２５】
そして、この実施例では、上側案内杆３５ａ，３５ａを細い軸径で構成し、緩やかな弾性力で穀稈の上側部に作用しながら掻込ラグベルト３２，３２に案内し、下側案内杆３５ｂ，３５ｂを太い軸径で構成し強い弾性力で穀稈の根元側を掻込スターホイル３１，３１に案内するようにしている。また、上側案内杆３５ａ，３５ａと下側案内杆３５ｂ，３５ｂを平面視で左右外側を円弧状にしてそれぞれの外側縁部で立毛穀稈に対して案内作用をし、左右の掻込ラグベルト３２，３２に引き継がせるようにしている。
【００２６】
また、上側案内杆３５ａ，３５ａと下側案内杆３５ｂ，３５ｂを左右の掻込ラグベルト３２，３２の先端をよりも前方へ突出し、上側案内杆３５ａ，３５ａ及び下側案内杆３５ｂ，３５ｂの前側部で立毛穀稈を掻込ラグベルト３２，３２及び掻込スターホイル３１，３１の前側部に案内するようにしている。
【００２７】
左右掻込スターホイル３１，３１及び左右掻込ラグベルト３２，３２の後側下部に臨むように左右根元搬送装置２３，２３の前側部を対向配置し、左右根元搬送装置２３，２３の伝動装置からスターホイル動力を分岐し、スターホイル軸３８，３８の一方に動力を伝達している。図４から図６に示すように、スターホイル軸３８の下側部にフランジ３８ａを設けた、フランジ３８ａに掻込スターホイル３１をボルト・ナットで着脱自在に固着している。
【００２８】
また、図３に示すように、スターホイル軸３８，３８の上部を左右方向に沿った掻込フレーム４３で支持し、掻込フレーム４３の左右両側部から前方に延出している左右掻込フレーム４３ａ，４３ｂにより左右ケース３３，３３の前側部を支持している。スターホイル軸３８，３８の上側部に左右プーリ３４，３４を取り付け、左右プーリ３４，３４に左右掻込ラグベルト３２，３２を巻き架け回動可能に支持している。
【００２９】
また、図４から図６及び図１５に示すように、前記刈取フレーム１７から前側に延出している左右掻込支持フレーム５１，５１に左右軸支筒体４５，４５を上下方向に沿わせて設け、左右軸支筒体４５，４５にスターホイル軸３８，３８の一方を軸支し、左右軸支筒体４５，４５の下方に左右掻込スターホイル３１，３１が位置し、左右軸支筒体４５，４５の上側に掻込ラグベルト３２，３２が位置するようにしている。スターホイル軸３８，３８における左右掻込スターホイル３１，３１と左右掻込ラグベルト３２，３２との間に筒体３９，３９を介装し、スターホイル軸３８，３８の一方のフランジ３８ａに掻込プーリ４６，４６を取り付け掻込動力がベルト伝動装置（図示省略）を介して伝達され、スターホイル軸３８、掻込スターホイル３１及び掻込ラグベルト３２を駆動するようにしている。そして、左右一対の掻込スターホイル３１，３１の掻込凸部３１ｃ，…を互いに噛み合うようにし、左右一方の掻込スターホイル３１から他方の掻込スターホイル３１及び掻込ラグベルト３２を駆動するようにしている。
【００３０】
また、図４から図６に示すように、掻込スターホイル３１を中心部から例えば左右掻込スターホイル半体３１ａ，３１ｂに２分割し、スターホイル軸３８のフランジ３８ａに別個にボルト・ナットで着脱できるように構成している。
【００３１】
従って、左右掻込スターホイル３１，３１に搬送穀稈が詰まった場合には、詰まっている部分の掻込スターホイル半体３１ａ，３１ｂだけをスターホイル軸３８のフランジ３８ａから取外し下方に移動させると、穀稈を下方に容易に引き抜き迅速に除去することができ作業能率の低下を防止することができる。また、掻込スターホイル３１の作業復帰整備を迅速に行なうことができる。
【００３２】
また、左右掻込スターホイル３１，３１を左右掻込スターホイル半体３１ａ，３１ｂに例えば２分割し、スターホイル軸３８，３８のフランジ部３８ａ，３８ａに着脱可能に取り付けるにあたり、左右掻込スターホイル３１，３１における刈取装置７の左右外側に位置している左右一方の掻込スターホイル３１だけを掻込スターホイル半体３１ａ，３１ｂに２分割し、部分的に着脱できる構成としてもよい。
【００３３】
このように構成すると、刈取装置７の左右外側に位置している掻込スターホイル３１における左右掻込スターホイル半体３１ａ，３１ｂの一方だけを取り外すことにより、詰まり穀稈を容易に除去することができる。
【００３４】
また、掻込スターホイル３１を中心部から左右掻込スターホイル半体３１ａ，３１ｂに２分割し、スターホイル軸３８のフランジ部３８ａに別個に着脱可能に構成するにあたり、左右掻込スターホイル３１，３１における従動側の掻込スターホイル３１だけを左右掻込スターホイル半体３１ａ，３１ｂに２分割し着脱可能に構成しててもよい。
【００３５】
前記構成によると、従動側の掻込スターホイル３１の左右掻込スターホイル半体３１ａ，３１ｂのうち一方の掻込スターホイル半体３１ａを部分的に取り外すことにより、他方の掻込スターホイル反体３１ｂをスターホイル軸３８のフランジ３８ａに取り付けたままの状態で自由に回転することができ、詰まり穀稈を容易に除去できる。
【００３６】
また、掻込スターホイル３１を左右掻込スターホイル半体３１ａ，３１ｂに２分割し、スターホイル軸３８のフランジ部３８ａに別個に着脱可能に取り付けるにあたり、図７から図９に示すように構成してもよい。左右掻込スターホイル半体３１ａ，３１ｂの中心部を蝶板４１で揺動自在に支持し、左右一方の左掻込スターホイル半体３１ａをスターホイル軸３８のフランジ３８ａに複数のボルト・ナットで固着し、他方の右掻込スターホイル半体３１ｂを単一のボルト・ナットでスターホイル軸３８のフランジ３８ａに着脱自在に取り付ける。
【００３７】
前記構成によると、単一のボルトの操作により一方の右掻込スターホイル半体３１ｂを取り外し蝶板４１に支持されたままで下方に揺動させることにより、詰まり穀稈を容易に除去することができる。
【００３８】
また、左右掻込スターホイル３１，３１を左右掻込スターホイル半体３１ａ，３１ｂに２分割し、スターホイル軸３８，３８のフランジ３８ａ，３８ａに左右掻込スターホイル半体３１ａ，３１ｂのいずれか一方を蝶板４１で下方に揺動自在に取り付け、いずれか他方をフランジ３８ａにボルト・ナットで取り付ける。そして、左右掻込スターホイル３１，３１の左右掻込スターホイル半体３１ａ，３１ｂ、３１ａ，３１ｂを噛み合わせ動力伝達状態ににするにあたり、ボルト・ナットでの取付状態のものと揺動可能なものとを互いに噛み合わせるようにする。このように構成すると、左右掻込スターホイル半体３１ａ，３１ｂ、３１ａ，３１ｂのうちの穀稈の詰まった部分の揺動可能な掻込スターホイル半体を取り外し下方へ揺動させることにより、詰まり穀稈の除去を容易に行なうことができる。
【００３９】
また、左右掻込スターホイル３１，３１を左右掻込スターホイル半体３１ａ，３１ｂに２分割し、スターホイル軸３８，３８のフランジ３８ａ，３８ａに左右掻込スターホイル半体３１ａ，３１ｂの双方を蝶板４１，４１により下方に揺動自在に取り付ける。このように構成すると、左右掻込スターホイル半体３１ａ，３１ｂ、３１ａ，３１ｂの穀稈の詰まった部分だけを取り外し下方へ揺動させることにより、詰まり穀稈を容易にの除去することができる。
【００４０】
また、４条型の穀稈掻込装置２２を備えたものにおいて、左右外側に配設されている左右掻込スターホイル３１，３１を左右掻込スターホイル半体３１ａ，３１ｂに２分割構成し、スターホイル軸３８，３８のフランジ３８ａ，３８ａに左右掻込スターホイル半体３１ａ，３１ｂ、３１ａ，３１ｂの双方を蝶板４１，４１で支持し下方に揺動できるように取り付けてもよい。
【００４１】
このように構成すると、作業者は刈取装置７の左右両側部に位置した状態で、穀稈の詰まっている左右掻込スターホイル半体３１ａ，３１ｂ、３１ａ，３１ｂの取り外し操作を容易に行なうことができ、詰まり穀稈を容易に除去することができる。
【００４２】
また、左右掻込スターホイル３１，３１の左右一方から掻込凸部３１ｃ，３１ｃを経由で左右他方を駆動するように構成し、従動側の掻込スターホイル３１を左右掻込スターホイル半体３１ａ，３１ｂに２分割し、スターホイル軸３８のフランジ部３８ａに左右掻込スターホイル半体３１ａ，３１ｂを蝶板４１，４１により揺動自在に取り付けるようにしてもよい。
【００４３】
このように構成すると、従動側の掻込スターホイル３１の左右掻込スターホイル半体３１ａ，３１ｂのいずれかを取り外し下方に揺動させることにより、従動側の他方の左右掻込スターホイル半体３１ｂをスターホイル軸３８のフランジ３８ａに取り付けたままで掻込スターホイルを回転することができ、詰まり穀稈を容易に除去することができる。
【００４４】
次に、図１０から図１２に示す実施例について説明する。
前記刈取フレーム１７から延出している左右掻込支持フレーム５１，５１に左右軸支筒体５３，５３を上下方向に沿わせて取り付け、左右軸支筒体５３，５３にベアリングを介して左右掻込駆動筒体５４，５４を上下動不能で回転のみ自在に支持し、左右掻込駆動筒体５４，５４の駆動歯車５４ａ，５４ａから掻込動力が伝達されるように構成している。左右掻込駆動筒体５４，５４にスターホイル軸３８，３８を嵌合して上下方向に所定範囲移動調節自在に挿入支持し、スターホイル軸３８，３８の下部のフランジ３８ａ，３８ａに左右掻込スターホイル３１，３１を取り付けている。そして、左右掻込駆動筒体５５，５５及びスターホイル軸３８，３８の例えば下側部に所定長さのスプライン５５ｓ，５５ｓ、３８ｓ，３８ｓをそれぞれ構成し、スターホイル軸３８，３８の上側部に左右ラグベルトプーリ３２，３２を取り付け、左右掻込ラグベルト３２，３２を回転可能に構成している。
【００４５】
しかして、掻込駆動筒体５５に対してスターホイル軸３８を上方の作業位置へ移動調節し、ロックピン４２で固定すると、両スプライン５５ｓ，３８ｓが係合し一体回転可能状態になり、スターホイル軸３８，３８により左右掻込ラグベルト３２，３２及び左右掻込スターホイル３１，３１が駆動状態になる。また、ロックピン４２，４２を引き抜き、掻込駆動筒体５５，５５に対してスターホイル軸３８，３８を下方のメンテナンス位置へ移動すると、両スプライン５５ｓ，３８ｓが離脱し、掻込駆動筒体５５に対してスターホイル軸３８，３８が自由に回転できる状態となる。
【００４６】
前記構成によると、左右掻込スターホイル３１，３１に穀稈が詰まった場合には、掻込駆動筒体５５に対してスターホイル軸３８を下方のメンテナンス位置へ移動調節することにより、掻込駆動筒体５５のスプライン５５ｓとスターホイル軸３８のスプライン３８ｓとが離脱し、一方の定位置にあるスターホイル３１を自由に回転操作することができ、詰まり穀稈を容易に除去することができる。
【００４７】
また、４状型の穀稈掻込装置２２において、左右一方の駆動側の掻込スターホイル３１から掻込凸部３１ｃ，…３１ｃを経由で左右他方の掻込スターホイル３１を駆動するように構成し、従動側の掻込スターホイル３１側にのみ前記動力伝達解除構成を施すようにし、穀稈除去作業を円滑にできるようにしてもよい。
【００４８】
また、掻込駆動筒体５５及びスターホイル軸３８の下側部に所定長さのスプライン５５ｓ，３８ｓを構成するにあたり、左右掻込スターホイル３１，３１の掻込凸部３１ｃ，…の上下方向厚さとスプライン５５ｓ，３８ｓの長さとを同じにすると、構成の簡素化を図ることができる。
【００４９】
次に、図１３について説明する。
左右掻込スターホイル３１，３１の掻込凸部３１ｃ，…を構成するにあたり、掻込凸部３１ｃ，…における回転前側の搬送作用部３１ｄ，…を柔軟材からなる交換部品で着脱自在に構成し、主体部に対してボルト・ナットで着脱自在に取り付けている。このように構成すると、穀稈を掻込搬送するにあたり、通常株よりも大径の株を掻込搬送する場合にも、搬送作用部３１ｄ，…が屈曲変形しながら穀稈に接触しながら掻込搬送し、振動や騒音を低減し耐久性を高めることができる。また、変形や破損した場合にも搬送作用部３１ｄ，…だけを交換することができ、コストの低減を図ることができる。
【００５０】
また、左右掻込スターホイル３１，３１及び掻込凸部３１ｃ，…の上側部と下側部とを上下対称形状とし、左右掻込スターホイル３１，３１を同一形状とすると、掻込スターホイル３１，３１を上下反転させることにより、左右いずれの側にも使用することができ、部品点数を少なくすることができる。
【００５１】
また、図１４及び図１５に示すように、左右掻込スターホイル３１の掻込凸部３１ｃ，…を構成するにあたり、中心側の主体部に一体構成されている掻込凸部３１ｃａと主体部に着脱自在の掻込凸部３１ｃｂを交互に配設した構成すると、左右掻込スターホイル３１，３１に穀稈が詰まった場合には、着脱自在の掻込凸部３１ｃｂを取り外すことにより、詰まり穀稈を容易に除去することができる。また、大径株の穀稈の刈取作業の場合には、左右掻込スターホイル３１，３１から着脱自在の掻込凸部３１ｃｂ，…を取り外すことにより、大径株用に変換することができる。
【符号の説明】
【００５２】
２１      刈刃
３１      掻込スターホイル
３１ａ    掻込スターホイル分割体
３１ｂ    掻込スターホイル分割体
３１ｃ    掻込凸部
３２      掻込ラグベルト
３８      スターホイル軸
３８ａ    フランジ
４１      蝶板
【図１】
2013111043.tif 000003
【図２】
2013111043.tif 000004
【図３】
2013111043.tif 000005
【図４】
2013111043.tif 000006
【図５】
2013111043.tif 000007
【図６】
2013111043.tif 000008
【図７】
2013111043.tif 000009
【図８】
2013111043.tif 000010
【図９】
2013111043.tif 000011
【図１０】
2013111043.tif 000012
【図１１】
2013111043.tif 000013
【図１２】
2013111043.tif 000014
【図１３】
2013111043.tif 000015
【図１４】
2013111043.tif 000016
【図１５】
2013111043.tif 000017